(57)【要約】【課題】本発明は、特に２個の二次電池同士の接合構造を改良し、振動等に対する耐久性に優れ長期使用に耐える電池パックを提供する。【解決手段】２個の二次電池２Ａ、２Ｂの端壁面同士を接合固定して並列の組電池１０を構成し、２個の二次電池２Ａ、２Ｂにより形成される平面上に絶縁体板３を介して充電、給電の電源回路を組み込み、かつ、携帯型電子機器本体の受電部と接触させる給電用弾性接触片７を備えた回路基板４を搭載し、２個の二次電池２Ａ、２Ｂ同士の電極同士及び２個の二次電池２Ａ、２Ｂの他の各電極と回路基板４における充電、給電の電源回路とを接続し、電池パック収納体に設けた充電端子用の開口に臨ませる充電用端子と前記回路基板４の充電用パターン２４とを接続して構成したものである。【選択図】　図２
2004095195.tif 000002
【特許請求の範囲】
【請求項１】
２個の二次電池の端壁面同士を接合固定して並列の組電池を構成し、組電池の２個の二次電池により形成される平面上に絶縁体板を介して充電、給電の電源回路を組み込み、かつ、携帯型電子機器本体の受電部と接触させる給電用弾性接触片を備えた回路基板を搭載し、２個の二次電池同士の電極同士及び２個の二次電池の他の各電極と回路基板における充電、給電の電源回路とを接続し、
電池パック収納体に設けた充電端子用の開口に臨ませる充電用端子と前記回路基板の充電用パターンとを接続して構成したことを特徴とする電池パック。
【請求項２】
２個の二次電池の端壁面同士を接合固定して並列の組電池を構成し、組電池の２個の二次電池により形成される平面上に絶縁体板を介して充電、給電の電源回路を組み込み、かつ、携帯型電子機器本体の受電部と接触させる給電用弾性接触片を備えた回路基板を搭載し、２個の二次電池同士の電極同士及び２個の二次電池の他の各電極と回路基板における充電、給電の電源回路とを接続し、電池パック収納体に設けた充電端子用の開口に臨ませる充電用端子と前記回路基板の充電用パターンとを接続して構成した電池パックを、電池パック収納体に装着し、
前記給電用弾性接触片を携帯型電子機器本体の受電部と接触させる状態で、携帯型電子機器本体に前記電池パック収納体を着脱可能に取り付けたことを特徴とする携帯型電子機器。
【発明の詳細な説明】
【０００１】
【発明の属する技術分野】
本発明は、電池パック及び該電池パックを備える携帯型電子機器に関するものである。
【０００２】
【従来の技術】
携帯電話機等の携帯型電子機器に用いる電池パックにおいては、長時間使用の目的で２個の二次電池を並列的に接合して組電池を構成し、さらに充電、給電の電源回路を含むＩＣチップを搭載した回路基板を一体に組み込んで、これらを電池パック収納体に収容し、携帯型電子機器本体に前記電池パック収納体を着脱可能に装着して、携帯型電子機器への電力供給を行っている。
【０００３】
【発明が解決しようとする課題】
しかしながら、従来の電池パックにおいては、２個の二次電池同士の接合構造や回路基板の組み込み構造が強度的に不十分なものが多く、振動等で２個の二次電池同士の接合部分がずれたり分離したりし、回路基板に歪力を与え回路基板上の微細な回路パターンを切断してしまう等の不都合が生じていた。
【０００４】
本発明は、上記事情に鑑みてなされたものであり、特に２個の二次電池同士の接合構造を改良し、振動等に対する耐久性に優れ長期使用に耐える電池パック及び該電池パックを備える携帯型電子機器を提供するものである。
【０００５】
【課題を解決するための手段】
上記課題を解決するために、請求項１記載の発明の電池パックは、２個の二次電池の端壁面同士を接合固定して並列の組電池を構成し、組電池の２個の二次電池により形成される平面上に絶縁体板を介して充電、給電の電源回路を組み込み、かつ、携帯型電子機器本体の受電部と接触させる給電用弾性接触片を備えた回路基板を搭載し、２個の二次電池同士の電極同士及び２個の二次電池の他の各電極と回路基板における充電、給電の電源回路とを接続し、電池パック収納体に設けた充電端子用の開口に臨ませる充電用端子と前記回路基板の充電用パターンとを接続して構成したことを特徴とするものである。
【０００６】
請求項２記載の発明の携帯型電子機器は、２個の二次電池の端壁面同士を接合固定して並列の組電池を構成し、組電池の２個の二次電池により形成される平面上に絶縁体板を介して充電、給電の電源回路を組み込み、かつ、携帯型電子機器本体の受電部と接触させる給電用弾性接触片を備えた回路基板を搭載し、２個の二次電池同士の電極同士及び２個の二次電池の他の各電極と回路基板における充電、給電の電源回路とを接続し、電池パック収納体に設けた充電端子用の開口に臨ませる充電用端子と前記回路基板の充電用パターンとを接続して構成した電池パックを、電池パック収納体に装着し、前記給電用弾性接触片を携帯型電子機器本体の受電部と接触させる状態で、携帯型電子機器本体に前記電池パック収納体を着脱可能に取り付けたことを特徴とするものである。
【０００７】
本発明によれば、上記構成により、２個の二次電池同士の接合が強固となり、振動等があっても二次電池同士の分離等の不都合が無くなって回路基板に悪影響を及ぼす惧れが無くなり、耐久性に優れ長期使用に耐える電池パックを提供することができる。
【０００８】
また、本発明によれば、上記電池パックを用いて長期使用に耐える携帯型電子機器を提供することができる。
【０００９】
【発明の実施の形態】
以下に本発明の実施の形態について詳細に説明する。
【００１０】
図１は本発明の実施の形態の電池パック１を合成樹脂材により形成した電池パック収納体５０に収納した状態を示すものである。図２乃至図４は各々電池パック１の各部を示すものである。図５、図６は電池パック収納体５０の正面、裏面を示すものである。
【００１１】
本実施の形態の電池パック１は、直方体状の２個の二次電池（例えばリチウムイオン電池）２Ａ、２Ｂの端壁面同士を接着剤を用いた接着、両面テープを用いた接着接合等により強固に接合固定して、並列配置の組電池１０を構成している。
【００１２】
この組電池１０の２個の二次電池２Ａ、２Ｂにより形成される平面上に、剛性を有する絶縁体板３を介して充電、給電の電源回路を組み込んだＩＣチップ５、６を搭載し、かつ、図７に示す携帯型電子機器本体１００の受電部１０１と接触させる給電用弾性接触片７を備えた回路基板４を搭載し、電池パック１を構成するようになっている。
【００１３】
電池パック１における図２において左壁面側には、図３に示すように２個の二次電池２Ａ、２Ｂの電極同士を導電板１１により接続し、さらに、導電板１１を回路基板４側に延在して回路基板４に設けた電極パターン２１に接続している。また、図２に示すように、二次電池２Ａの他の電極は、導電板１２を介して回路基板４に設けた電極パターン２２に接続している。
【００１４】
さらに、二次電池２Ｂの他の電極は、図２に示すように、この二次電池２Ｂの外周壁に沿って巡らした導電板１３を介して回路基板４における電極パターン２３に接続している。
【００１５】
前記回路基板４は、さらに携帯型電子機器本体１００の受電部１０１と接触させる給電用弾性接触片７を備えている。
【００１６】
前記電池パック収納体５０は、図５に示すように、電池パック１を収容するための直方体状を呈する収容凹部５１が形成されているとともに、収容凹部５１の下側には充電端子露出用の３個構成の開口５２が設けられ、前記回路基板４における充電用パターン２４から電池パック１の短辺側の絶縁板８上を経て導出した３個構成の充電用端子１４を、開口５２に露出するように臨ませ、前記充電用端子１４を図示しない充電器の充電用接点に当接させて電池パック１の充電が可能なように構成している。
【００１７】
図７は例えば携帯電話機のような携帯型電子機器本体１００に対して、前記電池パック１を収容した電池パック収納体５０を装着する状態を示すものである。即ち、前記電池パック１の回路基板４から上方へ突出する前記給電用弾性接触片７を、携帯型電子機器本体１００の受電部１０１と接触させるようにして、この電池パック収納体５０を、携帯型電子機器本体１００の背面側に設けた所定の装着位置に装着して係止し、電池パック１から携帯型電子機器本体１００へ電力供給を行うものである。
【００１８】
また、携帯型電子機器本体１００は、電池パック１を搭載したまま既述したように前記充電用端子１４を図示しない充電器の充電用接点に当接させて電池パック１の２個の二次電池２Ａ、２Ｂの充電を行うものである。
【００１９】
尚、電池パック収納体５０の携帯型電子機器本体１００に対する着脱構造の詳細は省略するが、剛性樹脂材の弾力を利用した公知の嵌め合い構造等を挙げることができる。
【００２０】
本実施の形態によれば、２個の二次電池同士２Ａ、２Ｂの端壁面同士を接合固定して並列の組電池１０を構成しているので、二次電池同士２Ａ、２Ｂ同士の接合が強固となり、振動等があっても二次電池２Ａ、２Ｂ同士の分離や位置ずれ等の不都合が無くなり、回路基板４に悪影響を及ぼす惧れが無く、この結果、耐久性に優れ長期使用に耐える電池パック１を提供することができる。
【００２１】
また、本実施の形態によれば、前記２個の二次電池同士２Ａ、２Ｂを含む電池パック１を電池パック収納体５０を介して携帯型電子機器本体１００に着脱可能に装着することによって、振動等に強く長期使用に耐える携帯型電子機器を提供することができる。
【００２２】
【発明の効果】
本発明によれば、２個の二次電池同士の端壁面同士を強固に接合固定して並列の組電池を構成しているので、振動等があってもこれらの分離や位置ずれ等の不都合が無く、従って回路基板に悪影響を及ぼす惧れが無く、耐久性に優れ長期使用に耐える電池パックを提供することができる。
【００２３】
また、発明によれば、上記作用効果を奏する２個の二次電池を含む電池パックを、電池パック収納体を介して携帯型電子機器本体に着脱可能に装着することにより、振動等に強く長期使用に耐える携帯型電子機器を提供することができる。
【図面の簡単な説明】
【図１】本発明の実施の形態の電池パックを電池パック収納体に収納した状態を示す斜視図である。
【図２】本実施の形態の電池パックの斜視図である。
【図３】本実施の形態の電池パックの左側面図である。
【図４】本実施の形態の電池パックの背面図である。
【図５】本実施の形態の電池パック収納体の正面図である。
【図６】本実施の形態の電池パック収納体の背面図である。
【図７】本発明の実施の形態の電池パックを収納した電池パック収納体の携帯型電子機器本体に対する装着状態を示す斜視図である。
【符号の説明】
１　電池パック
２Ａ　二次電池
２Ｂ　二次電池同士
３　絶縁体板
４　回路基板
５、６　ＩＣチップ
７　給電用弾性接触片
８　絶縁板
１０　組電池
１１　導電板
１２　導電板
１３　導電板
１４　充電用端子
２１　電極パターン
２２　電極パターン
２３　電極パターン
２４　充電用パターン
５０　電池パック収納体
５１　収容凹部
５２　開口
１００　携帯型電子機器本体
１０１　受電部
【図１】
2004095195.tif 000003
【図２】
2004095195.tif 000004
【図３】
2004095195.tif 000005
【図４】
2004095195.tif 000006
【図５】
2004095195.tif 000007
【図６】
2004095195.tif 000008
【図７】
2004095195.tif 000009